(57)【要約】【課題】自動分析装置に対する着脱操作が容易であるとともに、分注不良の発生を防止でき、容易かつ安価に作製できる試薬容器を提供すること。【解決手段】試薬を収容する容器本体２と、容器本体２の上面に設けられプローブ２０の出入り口となる開口部３と、指ｆで摘むために容器本体２上面から突設された板状の取手部４とを備え、容器本体２の長手方向に沿った側面２ａを隣接面として自動分析装置の載置台９に円周状または直線状に複数配置可能に形成された試薬容器１において、容器本体２の長手方向における取手部４の上部の外形寸法を、当該取手部４の根元部付近もしくは中央部付近の外形寸法よりも大きく形成し、これを大径部４ａとした。容器本体２と取手部４は、ブロー成型により一体成型されている。【選択図】      図１
2004226274.tif 000002
【特許請求の範囲】
【請求項１】
試薬を収容する容器本体と、
前記容器本体の上面に設けられ自動分析装置の分注プローブの出入り口となる開口部と、
指で摘むために前記容器本体上面から上方に突設された取手部と、
を備え、
前記容器本体の長手方向に沿った側面を隣接面として前記自動分析装置の載置台に円周状または直線状に複数配置可能に形成された試薬容器において、
前記容器本体の長手方向における前記取手部の上部の外形寸法は、当該取手部の根元部付近もしくは中央部付近の外形寸法よりも大きく形成されたことを特徴とする試薬容器。
【請求項２】
取手部は、容器本体の長手方向に沿った平面を有する板状に形成されたことを特徴とする請求項１に記載の試薬容器。
【請求項３】
取手部は、上部に大径部を有する円柱状に形成されたことを特徴とする請求項１に記載の試薬容器。
【請求項４】
取手部の上部には、水平断面がほぼＨ字状またはＴ字状の大径部を備え、当該大径部の前記容器本体の長手方向の少なくとも一方には、指が当接する当接面部を備えたことを特徴とする請求項１に記載の試薬容器。
【請求項５】
試薬を収容する容器本体と、
前記容器本体の上面に設けられ自動分析装置の分注プローブの出入り口となる開口部と、
指で摘むために前記容器本体上面から上方に突設された取手部と、
を備え、
前記容器本体の長手方向に沿った側面を隣接面として前記自動分析装置の載置台に円周状または直線状に複数配置可能に形成された試薬容器において、
前記取手部は、前記容器本体の長手方向から指を添えて摘める円柱状に形成されたことを特徴とする試薬容器。
【請求項６】
試薬を収容する容器本体と、
前記容器本体の上面に設けられ自動分析装置の分注プローブの出入り口となる開口部と、
指で摘むために前記容器本体上面から上方に突設された取手部と、
を備え、
前記容器本体の長手方向に沿った側面を隣接面として前記自動分析装置の載置台に円周状または直線状に複数配置可能に形成された試薬容器において、
前記取手部は、水平断面がほぼＨ字状またはＴ字状に形成され、かつ、前記容器本体の長手方向の少なくとも一方には前記指が当接する当接面部を備えたことを特徴とする試薬容器。
【請求項７】
自動分析装置の載置台に円周状に配置される試薬容器の取手部は、容器本体の開口部に対して当該円周の中心側に位置するように当該容器本体に配設されていることを特徴とする請求項１〜６のいずれか一つに記載の試薬容器。
【請求項８】
容器本体と取手部は、ブロー成型により一体的に成型されていることを特徴とする請求項１〜７のいずれか一つに記載の試薬容器。
【発明の詳細な説明】
【０００１】
【発明の属する技術分野】
この発明は、試薬容器に関し、さらに詳しくは、自動分析装置に対する着脱操作が容易であるとともに、分注不良の発生を防止でき、容易かつ安価に作製できる試薬容器に関する。
【０００２】
【従来の技術】
従来、自動分析装置においては、試薬が入っている試薬容器は、試薬庫内に回転動作可能に設けられた載置台上に円周状に複数本配置され収納されているのが一般的である。この自動分析装置は、試薬の分注が必要な場合には、上記載置台を回転させ、その分注点に試薬容器を移動させてから、試薬プローブをその試薬容器内に降下させ、必要量の試薬を吸引するように構成されている。なお、上記試薬庫は、試薬容器を開栓したままで保存する場合には、試薬の質的劣化を防止するために、ほぼ５〜１０℃に保冷されているのが一般的である。
【０００３】
試薬庫は、装置全体を小型化するために比較的コンパクトに構成されている場合が多く、また１つの分析項目に対して複数の試薬を必要とする場合も多いため、試薬庫内には複数の試薬容器が高密度状態でセットされている。したがって、試薬容器は、試薬庫内でのスペース効率を高めるため、図２０〜図２３に示すような形状のものが一般的に広く用いられている（たとえば、特許文献１参照）。
【０００４】
ここで、図２０は、従来の試薬容器を示す正面図、図２１は、従来の試薬容器を示す平面図、図２２は、従来の試薬容器を示す側面図、図２３は、自動分析装置の載置台にセットされた試薬容器の取手部を指で摘んだ状態を示す斜視図である。
【０００５】
図２０〜図２３に示すように、この試薬容器１０１は、試薬を収容する容器本体１０２と、この容器本体１０２の上面に設けられ、自動分析装置の分注プローブの出入り口となる開口部１０３と、オペレータが指ｆで摘むために容器本体１０２上面から上方に突設された取手部１０４とを備えている。
【０００６】
容器本体１０２は、図２１に示すように、その長手方向に沿った側面１０２ａを隣接面として自動分析装置の載置台１１０（図２３参照）に円周状に複数配置可能とするために、平面形状がほぼ扇形となっている。取手部１０４は、図２０に示すように、上部が下部よりも短寸の台形状の板部材として形成され、この板面が容器本体１０２の長手方向に沿うように容器本体１０２上面に突設されている。
【０００７】
このような取手部１０４が設けられているのは、容器本体１０２を指ｆで直接触れることによって試薬温度が上昇するのを防止するとともに、載置台１１０への着脱操作性を向上させるためである。なお、開口部１０３の外周には、図示しないキャップを装着するためのねじ部１０５が設けられている。
【０００８】
このような試薬容器１０１は、コンタミネーションや衛生上の問題から、使い回しは行わずに使い捨てにしている場合が多いため、試薬容器１０１を安価に製作する必要がある。したがって、試薬容器１０１は、プラスチック材料のブロー一体型成型品が広く用いられている。その材質としては、試薬成分に影響を与え難いポリエチレンやポリプロピレンが用いられていることが多い。
【０００９】
【特許文献１】
意匠登録第９１８６８０号公報
【００１０】
【発明が解決しようとする課題】
しかしながら、従来の試薬容器１０１は、取手部１０４が上述のように形成されているので、載置台１１０に対する着脱動作を細心の注意を払って行う必要があり、これを怠ると、図２３において試薬容器１０１の姿勢をセンターラインＣＬで示したように、隣接してセットされている試薬容器１０１，１０１を傾けてしまう可能性がある。
【００１１】
試薬容器１０１が傾いたままで分注用のプローブ（図示せず）を下降させると、試薬液面が傾いているので、液面検知機能に支障を来したり、あるいは予め想定しているデッドボリウム以上に試薬液量があっても、規定量の吸引ができない場合も起こり得るので、分析結果に大きな支障を来すおそれがあるという課題があった。また、操作性も悪く、試薬容器１０１を落としたり、中身の試薬をこぼす可能性もあった。
【００１２】
この発明は、上記に鑑みてなされたものであって、自動分析装置に対する着脱操作が容易であるとともに、分注不良の発生を防止でき、容易かつ安価に作製できる試薬容器を提供することを目的とする。
【００１３】
【課題を解決するための手段】
上述の目的を達成するために、第１の発明による試薬容器は、試薬を収容する容器本体と、前記容器本体の上面に設けられ自動分析装置の分注プローブの出入り口となる開口部と、指で摘むために前記容器本体上面から上方に突設された取手部とを備え、前記容器本体の長手方向に沿った側面を隣接面として前記自動分析装置の載置台に円周状または直線状に複数配置可能に形成された試薬容器において、前記容器本体の長手方向における前記取手部の上部の外形寸法は、当該取手部の根元部付近もしくは中央部付近の外形寸法よりも大きく形成されたことを特徴とする。
【００１４】
また、第２の発明による試薬容器は、上記第１の発明による試薬容器において、取手部は、容器本体の長手方向に沿った平面を有する板状に形成されたことを特徴とする。
【００１５】
また、第３の発明による試薬容器は、上記第１の発明による試薬容器において、取手部は、上部に大径部を有する円柱状に形成されたことを特徴とする。
【００１６】
また、第４の発明による試薬容器は、上記第１の発明による試薬容器において、取手部の上部には、水平断面がほぼＨ字状またはＴ字状の大径部を備え、当該大径部の前記容器本体の長手方向の少なくとも一方には、指が当接する当接面部を備えたことを特徴とする。
【００１７】
また、第５の発明による試薬容器は、試薬を収容する容器本体と、前記容器本体の上面に設けられ自動分析装置の分注プローブの出入り口となる開口部と、指で摘むために前記容器本体上面から上方に突設された取手部とを備え、前記容器本体の長手方向に沿った側面を隣接面として前記自動分析装置の載置台に円周状または直線状に複数配置可能に形成された試薬容器において、前記取手部は、前記容器本体の長手方向から指を添えて摘める円柱状に形成されたことを特徴とする。
【００１８】
また、第６の発明による試薬容器は、試薬を収容する容器本体と、前記容器本体の上面に設けられ自動分析装置の分注プローブの出入り口となる開口部と、指で摘むために前記容器本体上面から上方に突設された取手部とを備え、前記容器本体の長手方向に沿った側面を隣接面として前記自動分析装置の載置台に円周状または直線状に複数配置可能に形成された試薬容器において、前記取手部は、水平断面がほぼＨ字状またはＴ字状に形成され、かつ、前記容器本体の長手方向の少なくとも一方には前記指が当接する当接面部を備えたことを特徴とする。
【００１９】
また、第７の発明による試薬容器は、上記第１〜第６のいずれかの発明による試薬容器において、自動分析装置の載置台に円周状に配置される試薬容器の取手部は、容器本体の開口部に対して当該円周の中心側に位置するように当該容器本体に配設されていることを特徴とする。
【００２０】
また、第８の発明による試薬容器は、上記第１〜第７のいずれかの発明による試薬容器において、容器本体と取手部は、ブロー成型により一体的に成型されていることを特徴とする。
【００２１】
【発明の実施の形態】
以下、この発明に係る試薬容器の実施の形態につき図面を参照しつつ詳細に説明する。なお、この実施の形態によりこの発明が限定されるものではない。
【００２２】
実施の形態１．
図１は、この発明の実施の形態１に係る試薬容器を示す正面図、図２は、試薬容器を示す平面図、図３は、試薬容器を示す側面図、図４は、試薬容器がセットされた自動分析装置を示す断面図、図５は、自動分析装置の載置台に試薬容器がセットされた状態を示す平面図、図６は、試薬容器を自動分析装置の載置台にセットする様子を示す斜視図である。
【００２３】
図１〜図６に示すように、試薬容器１は、試薬を収容する容器本体２と、この容器本体２の上面に設けられ、自動分析装置の分注用のプローブ２０（図４参照）の出入り口となる開口部３と、指ｆ（図６参照）で摘むために容器本体２上面から上方に突設された板状の取手部４とを備えている。この容器本体２の平面形状は、図２および図５に示すように、その長手方向に沿った側面２ａを隣接面として自動分析装置の載置台９に円周状に複数配置できるようにほぼ扇形状に形成されている。
【００２４】
この取手部４は、図４および図５に示すように、容器本体２の開口部３に対して上記円周の中心側に位置するように配設され、かつ、取手部４を上記長手方向（上記円周の半径方向）から指ｆで摘んでも当該開口部３に指ｆが触れないように、当該開口部３から一定間隔をあけて配設されている。
【００２５】
また取手部４は、図２に示すように、容器本体２の長手方向に沿った平面を有する板状に形成されている。そして、容器本体２の長手方向における取手部４の上部の外形寸法は、図１に示すように、当該取手部４の根元部付近もしくは中央部付近の外形寸法よりも大きく形成されている。
【００２６】
すなわち、容器本体２の長手方向における取手部４の上部両端は、当該長手方向に突出する大径部４ａとして形成されている。取手部４にこのような大径部４ａを設けたのは、オペレータが容器本体２の長手方向から当該大径部４ａに指ｆ，ｆを引っかけ易くし、試薬容器１を確実に保持できるようにするとともに、隣接配置された他の試薬容器１に指ｆが接触することにより当該他の試薬容器１を傾けてしまうのを防止するためである。
【００２７】
なお、開口部３の外周には、図示しないキャップを装着するためのねじ部３ａが設けられている。また、容器本体２の底部は、開口部３の下方部分が最も深くなるように若干傾斜させて形成され、少量の試薬液でも安定した分注が行えるようになっている。
【００２８】
試薬容器１は、たとえばポリエチレンやポリプロピレンのような樹脂材料にてブロー一体型成型により形成することができる。なお、図３中には、この製作時において型を分割するラインであるパーティングラインＰＬ（Ｐａｒｔｉｎｇ  Ｌｉｎｅ）を表示してある。
【００２９】
つぎに上記試薬容器１を適用する自動分析装置について主に図４〜図６に基づいて説明する。同図に示すように、自動分析装置は、回動可能に形成され複数の試薬容器１を円周状に配列載置する載置台９と、この載置台９に載置された複数の試薬容器１を一定温度（たとえば、５〜１０℃に保冷）で格納する格納ケース１０と、前記載置台９に載置された試薬容器１の位置を検出する位置検知センサ（図示せず）と、試薬容器１に収容されている試薬の種類を検出する試薬検知センサ（図示せず）と、前記各センサからの信号を受けて前記載置台９を回動させ、所望の試薬容器１を分注位置に位置決めした後、プローブ２０を降下させ、試薬容器１内に進入させる制御装置（図示せず）とを備えている。
【００３０】
格納ケース１０は、試薬庫１１と、開口部１２ａを有した蓋１２とから構成されている。載置台９は、図５に示すように、複数の試薬容器１を円周状に配置するために複数の仕切り９ａを放射状に有している。また、載置台９は、軸受１３によって回転自在に支持された軸１４に連結され、回転可能に形成されている。この軸１４はギヤ１５を備え、このギヤ１５はモータ１６に連結されたギヤ１７と噛み合っている。すなわち、この載置台９は、図示しない制御装置の指令によりモータ１６が動作し、ギヤ１７，１５を介した軸１４が回転することにより、所定量回転するように構成されている。
【００３１】
つぎに、試薬容器１のセット手順と自動分析装置の動作について説明する。自動分析装置の載置台９には、複数種類の分析項目を分析するために、項目の異なる試薬の入った試薬容器１が各仕切り９ａ，９ａ間にセットされ、全体として円周状に配置される。この試薬容器１の載置台９へのセットは、図６に示すように、オペレータが容器本体２の長手方向から取手部４の大径部４ａに指ｆ，ｆ（たとえば、親指と人差指あるいは親指と中指）を引っかけて保持しながら行う。
【００３２】
このとき、指ｆ，ｆを容器本体２の長手方向から取手部４の大径部４ａに引っかけているので、試薬容器１を確実に保持できるとともに、試薬容器１を載置台９にセットする際に、円周方向に隣接配置されている他の試薬容器１に指ｆが接触しにくくなり、これらを傾けてしまう事態を防止できる。
【００３３】
また、取手部４は、開口部３から一定間隔をあけて配設されているので、容器本体２の長手方向（上記円周の半径方向）から指ｆで摘んでも当該開口部３に指ｆが触れることがない。これにより、指ｆに付着した脂分や汚れ等によって試薬が汚染され、分析結果に異常を来すことを防止できる。
【００３４】
また、上記取手部４は、従来のように、容器本体２の開口部３に対して上記円周の中心側に位置するように配設されているので、従来から市場に流通している自動分析装置にこの試薬容器１をそのまま適用でき、自動分析装置側に改良等を加える必要がない。
【００３５】
上述のように自動分析装置の載置台９に試薬容器１がセットされたら、選択された分析項目に対応した試薬容器１がプローブ２０の真下に配置されるように、図示しない制御装置から指令を出してモータ１６を駆動し、ギヤ１７，１５を介して軸１４を回転させ、載置台９を所定量回転させる。
【００３６】
すなわち、選択された試薬容器１がプローブ２０の真下に配置されたら、モータ１６の動作を止めるとともに、図示しない駆動装置によりプローブ２０を下降させ、試薬容器１の開口部３から内部に進入させ、試薬を吸引する。このとき、各試薬容器１は、前述した取手部４を摘んでセットされるので、各試薬容器１が傾いた状態でセットされていることはなく、試薬液面が規定位置となっている。したがって、プローブ２０により規定量の吸引を行うことができる。
【００３７】
そして、吸引動作の終了したプローブ２０は、図示しない駆動装置により上昇する。プローブ２０によって吸引された試薬は、図示しない反応容器に吐出され、分析される。このような動作を繰り返すことにより、複数種類の分析項目につき、連続分析が可能となる。
【００３８】
また、各試薬容器１に予め充填される試薬量が同一であっても、分析項目の依頼率は均一でないため、各試薬容器１内の液は同時に空にはならない。したがって、空になった試薬容器１は、オペレータの手作業によって自動分析装置の載置台９から回収され、新しい所定の試薬容器１が前述した要領にて載置台９にセットされる。この回収作業の際にも、オペレータが容器本体２の長手方向から取手部４の大径部４ａに指ｆ，ｆ（たとえば、親指と人差指あるいは親指と中指）を引っかけて持ち上げれば、容易かつ確実に保持できるので、回収しやすい。
【００３９】
以上のように、この実施の形態１に係る試薬容器１によれば、取手部４に上述のような大径部４ａを設けたことにより、オペレータが容器本体２の長手方向から当該大径部４ａに指ｆ，ｆを引っかけ易くなり、試薬容器１を確実に保持できるので、載置台９に対する試薬容器１の脱着時に当該試薬容器１を落としたり、中身の試薬等をこぼすといった事態を防止できる。
【００４０】
また、取手部４を指ｆで摘む際に、隣接配置された他の試薬容器１に当該指ｆが接触することがないので、当該他の試薬容器１を傾けることなく載置台９に対して着脱でき、作業性もよい。したがって、試薬容器１内で規定の液面位置を確保でき、プローブ２０による分注不良を防止できるので、安定した分析データを得ることができる。
【００４１】
また、取手部４は、開口部３から一定間隔をあけて配設されているので、容器本体２の長手方向から指ｆで摘んでも当該開口部３に指ｆが触れることがない。したがって、指ｆに付着した脂分や汚れ等によって試薬が汚染され、分析結果に異常を来すことを防止できる。
【００４２】
また、取手部４を摘んで載置台９にセットできるので、容器本体２の側面２ａを指ｆで直接触れるのを防止でき、試薬液の温度上昇による変質等を防止できる。これにより、安定した分析データを得ることができる。
【００４３】
また、取手部４は、従来のように、容器本体２の開口部３に対して上記円周の中心側に位置するように配設されているので、従来から市場に流通している自動分析装置にこの試薬容器１をそのまま適用でき、自動分析装置側に改良等を加える必要がない。
【００４４】
また、この試薬容器１は、所定の樹脂材料にてブロー一体型成型により形成できるので、容易かつ安価に製造することができる。これにより、使い捨ての試薬容器１を提供しやすくできるので、コンタミネーションや衛生上の問題点の発生を回避することができる。
【００４５】
なお、上記実施の形態１においては、容器本体２の平面形状はほぼ扇形状に形成されているものとして説明したが、これに限定されず、たとえば長方形や三角形等、その他の形状であってもよい。
【００４６】
また、取手部４の容器本体２上面からの突出長さも、図示例のものに限定されず、容器本体２や自動分析装置の寸法バランス等を勘案して、適宜、長く形成したり、短く形成してもよい。
【００４７】
また、上記実施の形態１においては、自動分析装置の載置台９に試薬容器１を円周状に配置する例を示したが、この試薬容器１は、これを直線状に並列配置する自動分析装置に対しても上記と同様に適用できる。
【００４８】
実施の形態２．
図７は、この発明の実施の形態２に係る試薬容器を示す斜視図である。なお、以下の説明において、すでに説明した部材と同一もしくは相当する部材には、同一の符号を付して重複説明を省略または簡略化する。
【００４９】
本実施の形態２においては、図７に示すように、取手部４は上部に大径部４ａを有する円柱状に形成されている。また、この取手部４は、当該取手部４を容器本体２の長手方向から指で摘んでも当該開口部３に指ｆが触れないように、当該開口部３から一定間隔をあけて配設されている。なお、その他の構成および基本動作は、上記実施の形態１の場合と同様であるので、重複説明を省略する。
【００５０】
以上のように、この実施の形態２に係る試薬容器１によれば、簡易な構成にて安価に作製できるとともに、円柱状の取手部４に上述のような大径部４ａを設けたことにより、オペレータが容器本体２の長手方向から当該大径部４ａに指ｆ，ｆを引っかけ易くなり、試薬容器１を確実に保持できるので、載置台９に対する試薬容器１の脱着時に当該試薬容器１を落としたり、中身の試薬等をこぼすといった事態を防止できる。
【００５１】
また、取手部４を指ｆで摘む際に、隣接配置された他の試薬容器１に当該指ｆが接触することがないので、当該他の試薬容器１を傾けることなく載置台９に対して着脱でき、作業性もよい。したがって、試薬容器１内で規定の液面位置を確保でき、プローブ２０による分注不良を防止できるので、安定した分析データを得ることができる。また、取手部４が円柱状に形成され、当該円柱軸に対して対称形となっているので、指ｆで摘む方向に自由度がある。
【００５２】
また、取手部４は、開口部３から一定間隔をあけて配設されているので、容器本体２の長手方向から指ｆで摘んでも当該開口部３に指ｆが触れることがない。したがって、指ｆに付着した脂分や汚れ等によって試薬が汚染され、分析結果に異常を来すことを防止できる。
【００５３】
実施の形態３．
図８は、この発明の実施の形態３に係る試薬容器の取手部を示す部分斜視図である。図８に示すように、取手部４は、その上部に水平断面がほぼＨ字状の大径部４ａを備え、この大径部４ａの容器本体２の長手方向両端部に、指が当接する当接面部４ｂを備えている。
【００５４】
また、この取手部４は、当該取手部４を容器本体２の長手方向から指で摘んでも開口部３に指ｆが触れないように、当該開口部３から一定間隔をあけて配設されている（図示せず）。なお、その他の構成および基本動作は、上記実施の形態１の場合と同様であるので、重複説明を省略する。
【００５５】
以上のように、この実施の形態３に係る試薬容器１によれば、簡易な構成にて安価に作製できるとともに、取手部４の大径部４ａをほぼＨ字状に形成し、これに当接面部４ｂを設けたことにより、オペレータが容器本体２の長手方向から当接面部４ｂに指ｆ，ｆを当接し易くなり、試薬容器１を確実に保持できるので、載置台９に対する試薬容器１の脱着時に当該試薬容器１を落としたり、中身の試薬等をこぼすといった事態を防止できる。
【００５６】
また、取手部４を指ｆで摘む際に、隣接配置された他の試薬容器１に当該指ｆが接触することがないので、当該他の試薬容器１を傾けることなく載置台９に対して着脱でき、作業性もよい。したがって、試薬容器１内で規定の液面位置を確保でき、プローブ２０による分注不良を防止できるので、安定した分析データを得ることができる。
【００５７】
また、取手部４は、開口部３から一定間隔をあけて配設されているので、容器本体２の長手方向から指ｆで摘んでも当該開口部３に指ｆが触れることがない。したがって、指ｆに付着した脂分や汚れ等によって試薬が汚染され、分析結果に異常を来すことを防止できる。
【００５８】
なお、上記実施の形態３においては、取手部４の中央部もしくは根元部を同一幅に形成してあるが、これに限定されず、たとえば図９に示すように、当該部分を更に小径に形成し、大径部４ａの下方に指ｆを引っかけ易くなるように形成してもよい。ここで、図９は、試薬容器の他の取手部を示す部分斜視図である。
【００５９】
実施の形態４．
図１０は、この発明の実施の形態４に係る試薬容器の取手部を示す部分斜視図である。図１０に示すように、取手部４は、その上部に水平断面がほぼＴ字状の大径部４ａを備え、この大径部４ａの容器本体２の長手方向端部（反開口部３側）に、指が当接する当接面部４ｂを備えている。
【００６０】
また、この取手部４は、当該取手部４を容器本体２の長手方向から指で摘んでも開口部３に指ｆが触れないように、当該開口部３から一定間隔をあけて配設されている（図示せず）。なお、その他の構成および基本動作は、上記実施の形態１の場合と同様であるので、重複説明を省略する。
【００６１】
以上のように、この実施の形態４に係る試薬容器１によれば、簡易な構成にて安価に作製できるとともに、取手部４の大径部４ａをほぼＴ字状に形成し、これに当接面部４ｂを設けたことにより、オペレータが容器本体２の長手方向から当接面部４ｂに指ｆ，ｆを当接し易くなり、試薬容器１を確実に保持できるので、載置台９に対する試薬容器１の脱着時に当該試薬容器１を落としたり、中身の試薬等をこぼすといった事態を防止できる。
【００６２】
また、取手部４を指ｆで摘む際に、隣接配置された他の試薬容器１に当該指ｆが接触することがないので、当該他の試薬容器１を傾けることなく載置台９に対して着脱でき、作業性もよい。したがって、試薬容器１内で規定の液面位置を確保でき、プローブ２０による分注不良を防止できるので、安定した分析データを得ることができる。
【００６３】
また、取手部４は、開口部３から一定間隔をあけて配設されているので、容器本体２の長手方向から指ｆで摘んでも当該開口部３に指ｆが触れることがない。したがって、指ｆに付着した脂分や汚れ等によって試薬が汚染され、分析結果に異常を来すことを防止できる。
【００６４】
なお、上記実施の形態４においては、取手部４の当接面部４ｂを反開口部３側に設けるものとして説明したが、これに限定されず、当接面部４ｂを開口部３側に設けてもよく、上記と同様の効果を期待できる。
【００６５】
実施の形態５．
図１１は、この発明の実施の形態５に係る試薬容器を示す正面図、図１２は、試薬容器を示す平面図、図１３は、試薬容器を示す側面図である。これらの図に示すように、取手部４は、容器本体２の長手方向から指ｆを添えて摘める円柱状に形成されている。また、この取手部４は、当該取手部４を容器本体２の長手方向から指ｆで摘んでも開口部３に指ｆが触れないように、当該開口部３から一定間隔をあけて配設されている。
【００６６】
また、この試薬容器１は、たとえばポリエチレンやポリプロピレンのような樹脂材料にてブロー一体型成型により形成することができる。なお、その他の構成および基本動作は、上記実施の形態１の場合と同様であるので、重複説明を省略する。
【００６７】
以上のように、この実施の形態５に係る試薬容器１によれば、簡易な構成にて安価に作製できるとともに、取手部４を容器本体２の長手方向から指ｆを添えて摘める円柱状に形成したことにより、オペレータが試薬容器１を確実に保持できるので、載置台９に対する試薬容器１の脱着時に当該試薬容器１を落としたり、中身の試薬等をこぼすといった事態を防止できる。また、取手部４が円柱状に形成され、当該円柱軸に対して対称形となっているので、指ｆで摘む方向に自由度がある。
【００６８】
また、取手部４を指ｆで摘む際に、隣接配置された他の試薬容器１に当該指ｆが接触することがないので、当該他の試薬容器１を傾けることなく載置台９に対して着脱でき、作業性もよい。したがって、試薬容器１内で規定の液面位置を確保でき、プローブ２０による分注不良を防止できるので、安定した分析データを得ることができる。
【００６９】
また、取手部４は、開口部３から一定間隔をあけて配設されているので、容器本体２の長手方向から指ｆで摘んでも当該開口部３に指ｆが触れることがない。したがって、指ｆに付着した脂分や汚れ等によって試薬が汚染され、分析結果に異常を来すことを防止できる。
【００７０】
実施の形態６．
図１４は、この発明の実施の形態６に係る試薬容器を示す正面図、図１５は、試薬容器を示す平面図、図１６は、試薬容器を示す側面図である。これらの図に示すように、取手部４は、水平断面がほぼＨ字状に形成され、かつ、容器本体２の長手方向両端部に、指が当接する当接面部４ｂを備えている。また、この取手部４は、当該取手部４を容器本体２の長手方向から指で摘んでも開口部３に指ｆが触れないように、当該開口部３から一定間隔をあけて配設されている。
【００７１】
また、この試薬容器１は、たとえばポリエチレンやポリプロピレンのような樹脂材料にてブロー一体型成型により形成することができる。なお、その他の構成および基本動作は、上記実施の形態１の場合と同様であるので、重複説明を省略する。
【００７２】
以上のように、この実施の形態６に係る試薬容器１によれば、簡易な構成にて安価に作製できるとともに、水平断面Ｈ字状の取手部４を形成し、これに当接面部４ｂを設けたことにより、オペレータが容器本体２の長手方向から当接面部４ｂに指ｆ，ｆを当接し易くなり、試薬容器１を確実に保持できるので、載置台９に対する試薬容器１の脱着時に当該試薬容器１を落としたり、中身の試薬等をこぼすといった事態を防止できる。
【００７３】
また、取手部４を指ｆで摘む際に、隣接配置された他の試薬容器１に当該指ｆが接触することがないので、当該他の試薬容器１を傾けることなく載置台９に対して着脱でき、作業性もよい。したがって、試薬容器１内で規定の液面位置を確保でき、プローブ２０による分注不良を防止できるので、安定した分析データを得ることができる。
【００７４】
また、取手部４は、開口部３から一定間隔をあけて配設されているので、容器本体２の長手方向から指ｆで摘んでも当該開口部３に指ｆが触れることがない。したがって、指ｆに付着した脂分や汚れ等によって試薬が汚染され、分析結果に異常を来すことを防止できる。
【００７５】
実施の形態７．
図１７は、この発明の実施の形態７に係る試薬容器を示す正面図、図１８は、試薬容器を示す平面図、図１９は、試薬容器を示す側面図である。これらの図に示すように、取手部４は、水平断面がほぼＴ字状に形成され、容器本体２の長手方向端部（反開口部３側）に、指が当接する当接面部４ｂを備えている。また、この取手部４は、当該取手部４を容器本体２の長手方向から指ｆで摘んでも開口部３に指ｆが触れないように、当該開口部３から一定間隔をあけて配設されている。
【００７６】
また、この試薬容器１は、たとえばポリエチレンやポリプロピレンのような樹脂材料にてブロー一体型成型により形成することができる。なお、その他の構成および基本動作は、上記実施の形態１の場合と同様であるので、重複説明を省略する。
【００７７】
以上のように、この実施の形態７に係る試薬容器１によれば、簡易な構成にて安価に作製できるとともに、水平断面Ｔ字状の取手部４を形成し、これに当接面部４ｂを設けたことにより、オペレータが容器本体２の長手方向から当接面部４ｂに指ｆを当接し易くなり、試薬容器１を確実に保持できるので、載置台９に対する試薬容器１の脱着時に当該試薬容器１を落としたり、中身の試薬等をこぼすといった事態を防止できる。
【００７８】
また、取手部４を指ｆで摘む際に、隣接配置された他の試薬容器１に当該指ｆが接触することがないので、当該他の試薬容器１を傾けることなく載置台９に対して着脱でき、作業性もよい。したがって、試薬容器１内で規定の液面位置を確保でき、プローブ２０による分注不良を防止できるので、安定した分析データを得ることができる。
【００７９】
また、取手部４は、開口部３から一定間隔をあけて配設されているので、容器本体２の長手方向から指ｆで摘んでも当該開口部３に指ｆが触れることがない。したがって、指ｆに付着した脂分や汚れ等によって試薬が汚染され、分析結果に異常を来すことを防止できる。
【００８０】
なお、上記実施の形態７においては、取手部４の当接面部４ｂを反開口部３側に設けるものとして説明したが、これに限定されず、当接面部４ｂを開口部３側に設けてもよく、上記と同様の効果を期待できる。
【００８１】
【発明の効果】
以上説明したように、この発明によれば、自動分析装置に対する着脱操作が容易であるとともに、分注不良の発生を防止でき、容易かつ安価に作製できる試薬容器を提供することができる。
【図面の簡単な説明】
【図１】この発明の実施の形態１に係る試薬容器を示す正面図である。
【図２】試薬容器を示す平面図である。
【図３】試薬容器を示す側面図である。
【図４】試薬容器がセットされた自動分析装置を示す断面図である。
【図５】自動分析装置の載置台に試薬容器がセットされた状態を示す平面図である。
【図６】試薬容器を自動分析装置の載置台にセットする様子を示す斜視図である。
【図７】この発明の実施の形態２に係る試薬容器を示す斜視図である。
【図８】この発明の実施の形態３に係る試薬容器の取手部を示す部分斜視図である。
【図９】試薬容器の他の取手部を示す部分斜視図である。
【図１０】この発明の実施の形態４に係る試薬容器の取手部を示す部分斜視図である。
【図１１】この発明の実施の形態５に係る試薬容器を示す正面図である。
【図１２】試薬容器を示す平面図である。
【図１３】試薬容器を示す側面図である。
【図１４】この発明の実施の形態６に係る試薬容器を示す正面図である。
【図１５】試薬容器を示す平面図である。
【図１６】試薬容器を示す側面図である。
【図１７】この発明の実施の形態７に係る試薬容器を示す正面図である。
【図１８】試薬容器を示す平面図である。
【図１９】試薬容器を示す側面図である。
【図２０】従来の試薬容器を示す正面図である。
【図２１】従来の試薬容器を示す平面図である。
【図２２】従来の試薬容器を示す側面図である。
【図２３】自動分析装置の載置台にセットされた試薬容器の取手部を指で摘んだ状態を示す斜視図である。
【符号の説明】
１  試薬容器
２  容器本体
２ａ  側面
３  開口部
４  取手部
４ａ  大径部
４ｂ  当接面部
９  載置台
１０  格納ケース
１１  試薬庫
２０  プローブ
ｆ  指
【図１】
2004226274.tif 000003
【図２】
2004226274.tif 000004
【図３】
2004226274.tif 000005
【図４】
2004226274.tif 000006
【図５】
2004226274.tif 000007
【図６】
2004226274.tif 000008
【図７】
2004226274.tif 000009
【図８】
2004226274.tif 000010
【図９】
2004226274.tif 000011
【図１０】
2004226274.tif 000012
【図１１】
2004226274.tif 000013
【図１２】
2004226274.tif 000014
【図１３】
2004226274.tif 000015
【図１４】
2004226274.tif 000016
【図１５】
2004226274.tif 000017
【図１６】
2004226274.tif 000018
【図１７】
2004226274.tif 000019
【図１８】
2004226274.tif 000020
【図１９】
2004226274.tif 000021
【図２０】
2004226274.tif 000022
【図２１】
2004226274.tif 000023
【図２２】
2004226274.tif 000024
【図２３】
2004226274.tif 000025